(57)【要約】      （修正有）【課題】盛り付け面側の装飾の色合いと食器裏面の色合いとが調和したメラミン樹脂を材料とする食器を、簡易な構成で製造できる方法の提供。【解決手段】金型で有彩色の濃色または装飾部の色彩と同系色にして食器生地であるカラーベース５を圧縮成形する一次成形工程Ａと、金型に白色の白グレーズ材を投入し、カラーベースの色彩が不可視となる膜厚の白色樹脂皮膜６を成形して、白色のグレーズコーティング処理を行う二次成形工程Ｂと、白色樹脂皮膜に対応するようにして装飾部が印刷されたフォイル７を金型に投入し、白色樹脂皮膜の上面にフォイルを一体にする三次成形工程Ｃと、三次成形工程でフォイルが一体とされたカラーベースの白色樹脂皮膜に対応するようにして透明グレーズ材を金型に投入し、白色樹脂皮膜の上面に透明樹脂皮膜８を成形して、白色樹脂皮膜の上面全面に透明のグレーズコーティング処理を行う四次成形工程Ｄからなる絵付け食器１。【選択図】図２
2020028985.tif 000002
【特許請求の範囲】
【請求項１】
メラミン樹脂製の絵付け食器を製造する方法であって、調理品などの食品を盛る側となる盛り付け面（２）が、白地と、柄やロゴなどの装飾であってこの装飾が白地の色と異なる色彩で構成された装飾部（４）とを有しているメラミン樹脂製の絵付け食器（１）を製造する方法において、
有彩色の濃色または装飾部の色彩と同系色の色材を有するメラミン樹脂材を生地材料として金型（９）に投入して、この金型（９）による圧縮にて、有彩色の濃色または装飾部の色彩と同系色にして食器生地であるカラーベース（５）を圧縮成形する一次成形工程（Ａ）と、
前記一次成形工程（Ａ）で成形されたカラーベース（５）での盛り付け面（２）側に対応するようにして前記金型（９）に白色の白グレーズ材を投入して、前記金型（９）による圧縮にて、前記カラーベース（５）の盛り付け面（２）側となる前記片面全面に、カラーベース（５）の色彩が不可視となる膜厚の白色樹脂皮膜（６）を成形して、カラーベース（５）での盛り付け面（２）側となる片面に白色のグレーズコーティング処理を行なう二次成形工程（Ｂ）と、
前記二次成形工程（Ｂ）で成形された白色樹脂皮膜（６）を有するカラーベース（５）での前記白色樹脂皮膜（６）に対応するようにして前記装飾部（４）が印刷されているフォイル（７）を前記金型（９）に投入し、この金型（９）による圧縮にて、白色樹脂皮膜（６）の上面に前記フォイル（７）を一体にする三次成形工程（Ｃ）と、
前記三次成形工程（Ｃ）でフォイル（７）が一体とされた白色樹脂皮膜（６）を有するカラーベース（５）での前記白色樹脂皮膜（６）に対応するようにして透明グレーズ材を前記金型（９）に投入して、前記金型（９）による圧縮にて、フォイル（７）が一体となっている前記白色樹脂皮膜（６）の上面に透明樹脂皮膜（８）を成形して、白色樹脂皮膜（６）の上面全面に透明のグレーズコーティング処理を行なう四次成形工程（Ｄ）と
を備えることを特徴とする絵付け食器の製造方法。
【請求項２】
請求項１の絵付け食器の製造方法から製造された絵付け食器（１）であって、上記白色樹脂皮膜（６）は、上記盛り付け面（２）側から見たときに上記カラーベース（５）の色彩を不可視にするものであり、前記カラーベース（５）は、該カラーベース（５）側から見たときに盛り付け面（２）に位置する上記装飾部（４）を不可視にするものであることを特徴とする絵付け食器。
【発明の詳細な説明】
【技術分野】
【０００１】
本発明はメラミン樹脂を材料とする絵付け食器の製造方法とこの製造方法から得られる絵付け食器とに関するものである。
【背景技術】
【０００２】
メラミン樹脂を材料とする圧縮成形品の一種として、特許文献１では圧縮成形用再生メラミン樹脂材料からなる再生メラミン樹脂成形品が示されていて、このような圧縮成形品を得るための圧縮成形用再生メラミン樹脂材料、再生メラミン樹脂成形品、食器、及び再生メラミン樹脂成形品の製造方法について示されている。
【０００３】
そして、上記特許文献１の公報段落番号００２１には、フォイルによる絵付け処理を再生メラミン樹脂成形品のベース（生地）上に対して直接行なうと、ベースが暗色に限られて、絵付けの絵柄が見えなかったり、或いはベースの色ムラや模様ムラが裏移りして絵柄の模様や文字がぼやけたり、発色の彩度が落ちたりするので、白色など有色のグレーズコーティング層を、絵付け用のフォイルの下地層として用いることが示されている。
【先行技術文献】
【特許文献】
【０００４】
【特許文献１】特開２０１０−１９５８７１号公報
【発明の概要】
【発明が解決しようとする課題】
【０００５】
上記再生メラミン樹脂を用いない一般的なメラミン樹脂を成形材料とした圧縮成形品には、絵付けされる装飾を彩りが豊かな柄やロゴなどにて構成した盛り付け面を有する食器類があり、従来から一般家庭でも多く利用されている。
【０００６】
そして食器のバリエーションを高めるなどの目的によってベース（生地）の色を白色とはせずに各種の色彩としたものも多く生産されている。さらにこのようなベースの色を白色以外の色彩とした食器においても、その盛り付け面に絵柄やロゴなどを施すことで装飾性が向上すると考えられる。
【０００７】
メラミン樹脂を材料とする圧縮成形品の食器における盛り付け面に装飾を施す場合には、従来から絵柄などが印刷されたフォイルを用いて絵付けを行なうことになるが、ベースの色を有彩色としている食器にフォイルによる絵付けをすると、上述した再生メラミン樹脂成形品の場合と同様に、絵付けされた装飾部にベースの色彩が透けてしまい、絵柄やロゴなどがぼやけたり発色の彩度が落ちる可能性がある。
【０００８】
このようにフォイルにより絵付けされた絵柄やロゴなどにベースの色が透ける可能性がある場合には、食器自体を、色彩を有する下ベースの部分（有彩色の色材を有したメラミン樹脂の成形材料にて成形された部分）と盛り付け面側の白色とされた上ベースの部分（白色の色材を有したメラミン樹脂の成形材料にて成形された部分）とが積層された構造とすればよい。そして前記上ベースの部分で、盛り付け面側での白地の役割を果たすようにすることが、フォイルにて絵付けした装飾の部分の色彩を損なわないようにする対策となる。
【０００９】
白色の上ベースと有彩色の下ベースとが積層された上記構造の食器を製造する場合、まず、食器の盛り付け面側となる白色の上ベースを上ベース成形用の金型を用いて圧縮成形することになる。
【００１０】
つぎに、下ベースの色彩としては、絵柄やロゴなどの装飾を構成する色彩の内、装飾の主たる色に対して同系色となる色彩、また絵柄やロゴでの指定されたイメージカラーに対して同系色となる色彩が選択され、さらには食器の使用用途に適合する有彩色の濃色の色彩が選択される。そして前記色彩の色材を有するメラミン樹脂を成形材料にして下ベースを形成することになる。
【００１１】
この下ベースは上ベースと一体となるものであり、下ベースの形成では、上ベース成形用の金型から取り外した上ベースを食器形成用の金型にセットした後、この食器形成用の金型に下ベース用の成形材料を投入して圧縮成形する。
【００１２】
この後、食器の盛り付け面側となる上ベースの上面側に絵付け用のフォイルを配置し、食器成形用の金型にて絵付けの条件の下で型締めをする。これによりフォイルに印刷形成されている装飾が上ベースの表面に一体として形成される。
【００１３】
絵付けが終了した後、透明の圧縮成形材料である透明のグレーズ材を上記食器成形用の金型に投入して、コーティングの条件の下で型締めをする。これによって絵付け部分も覆われるようにして上ベースの上面全面に透明のグレーズコーティング処理が行なわれる。
【００１４】
以上のようにして、盛り付け面が、白地と、柄やロゴなどの装飾でありこの装飾が白地の色と異なる色彩で構成された装飾部とを有しているメラミン樹脂製の絵付け食器が得られる。
【００１５】
しかしながら、白色の上ベースによって盛り付け面側の白地を形成している上記食器では、上ベースの部分の肉厚が薄くとも約１ｍｍ以上の厚さとなっており、上ベースとフォイルと下ベースとを含めた厚さが大きく、圧縮成形材料を多く要して材料費を引き上げるという問題がある。
【００１６】
また、上記白色の上ベース自体が上ベース成形後に僅かながら収縮するので、上記食器成形用の金型では、その収縮量に応じた調整を行なった型が必要である。そのため、上ベースを成形する段階で用いる金型と食器を成形する段階で用いる金型とを別々に準備することとなり、製造費を引き上げるという問題がある。
【００１７】
そこで本発明は上記事情に鑑みて、盛り付け面側に絵付けした装飾部分の色合いとベースの色合いとを似通った状態とするとともに、装飾部分を構成している柄やロゴなどの色が、盛り付け面側から見たときに装飾部分の周囲と同化しない食器を、安価に製造できるようにすることを課題とし、盛り付け面側の装飾の色合いと盛り付け面とは反対側に表われるベースの色合いとが調和した食器を提供することを目的とするものである。
【課題を解決するための手段】
【００１８】
（請求項１の発明）
本発明は上記課題を考慮してなされたもので、メラミン樹脂製の絵付け食器を製造する方法であって、調理品などの食品を盛る側となる盛り付け面（２）が、白地と、柄やロゴなどの装飾であってこの装飾が白地の色と異なる色彩で構成された装飾部（４）とを有しているメラミン樹脂製の絵付け食器（１）を製造する方法において、
有彩色の濃色または装飾部の色彩と同系色の色材を有するメラミン樹脂材を生地材料として金型（９）に投入して、この金型（９）による圧縮にて、有彩色の濃色または装飾部の色彩と同系色にして食器生地であるカラーベース（５）を圧縮成形する一次成形工程（Ａ）と、
前記一次成形工程（Ａ）で成形されたカラーベース（５）での盛り付け面（２）側に対応するようにして前記金型（９）に白色の白グレーズ材を投入して、前記金型（９）による圧縮にて、前記カラーベース（５）の盛り付け面（２）側となる前記片面全面に、カラーベース（５）の色彩が不可視となる膜厚の白色樹脂皮膜（６）を成形して、カラーベース（５）での盛り付け面（２）側となる片面に白色のグレーズコーティング処理を行なう二次成形工程（Ｂ）と、
前記二次成形工程（Ｂ）で成形された白色樹脂皮膜（６）を有するカラーベース（５）での前記白色樹脂皮膜（６）に対応するようにして前記装飾部（４）が印刷されているフォイル（７）を前記金型（９）に投入し、この金型（９）による圧縮にて、白色樹脂皮膜（６）の上面に前記フォイル（７）を一体にする三次成形工程（Ｃ）と、
前記三次成形工程（Ｃ）でフォイル（７）が一体とされた白色樹脂皮膜（６）を有するカラーベース（５）での前記白色樹脂皮膜（６）に対応するようにして透明グレーズ材を前記金型（９）に投入して、前記金型（９）による圧縮にて、フォイル（７）が一体となっている前記白色樹脂皮膜（６）の上面に透明樹脂皮膜（８）を成形して、白色樹脂皮膜（６）の上面全面に透明のグレーズコーティング処理を行なう四次成形工程（Ｄ）と
を備えることを特徴とする絵付け食器の製造方法を提供して、上記課題を解消するものである。
【００１９】
（請求項２の発明）
もう一つの発明は、絵付け食器の製造方法から製造された絵付け食器（１）であって、上記白色樹脂皮膜（６）は、上記盛り付け面（２）側から見たときに上記カラーベース（５）の色彩を不可視にするものであり、前記カラーベース（５）は、該カラーベース（５）側から見たときに盛り付け面（２）に位置する上記装飾部（４）を不可視にするものであることを特徴とする絵付け食器であり、この絵付け食器を提供して上記課題を解消するものである。
【発明の効果】
【００２０】
本発明によれば、絵付け食器の盛り付け面側にある白色樹脂皮膜が白地となって、カラーベースの色彩をこのカラーベース側から盛り付け面側に不可視にするので、盛り付け面側にカラーベースの色彩が透けて見えず、装飾部を構成する柄やロゴなどが、白地のもとで綺麗に鮮明に表現されるようになる。
【００２１】
また、カラーベースの色彩を有彩色の濃色または装飾部の色彩と同系色にするので、絵付け食器の盛り付け面とは反対側の広面部分でカラーベースの色合いから醸し出される雰囲気と装飾部を見た際の雰囲気とを調和させ易く、装飾部により絵付け食器の装飾性を向上させることが容易になる
【００２２】
さらに従来のように白色の上ベースを成形するためだけの金型は不要となり、カラーベースを得る一次成形工程から食器を得る四次成形工程までを一式の金型で行なうで、絵付け食器を製造するときのコストを低減できる。
【００２３】
そして厚肉になっていた白ベースを薄い樹脂皮膜に代えて白地を形成するので、食器の厚さが薄くなり成形材料の使用量を小さくして、材料費を抑えることができるという優れた効果を奏する。
【図面の簡単な説明】
【００２４】
【図１】本発明に係る絵付け食器の実施の例を上方から見た状態で示す説明図である。
【図２】実施の例での一部断面を拡大した状態で示す説明図である。
【図３】絵付け食器の製造に係る一次成形工程の段階を示す説明図である。
【図４】二次成形工程の段階を示す説明図である。
【図５】三次成形工程の段階を示す説明図である。
【図６】四次成形工程の段階を示す説明図である。
【発明を実施するための形態】
【００２５】
つぎに本発明を図１から図６に示す実施の形態に基づいて詳細に説明する。図中１はメラミン樹脂を材料として成形された皿形状の絵付け食器であり、この絵付け食器１の盛り付け面２側であっては、図１に示されているように食器外周縁３の近傍に有彩色の色彩で表現された柄からなる装飾部４が設けられている。
【００２６】
図２の断面で示されているように、絵付け食器１は食器生地であるカラーベース５と、このカラーベース５の盛り付け面２側となる片面の全面に積層一体化されている白色樹脂皮膜６と、上記装飾部４が配置されている食器外周縁３に沿った箇所に設けられていて、前記白色樹脂皮膜６に積層一体化されている絵付け用のフォイル７と、前記白色樹脂皮膜６とフォイル７とを覆うようにして積層一体化されている透明樹脂皮膜８とからなるものである。
【００２７】
（装飾部）
上記装飾部４は柄やロゴなどの装飾であり、白色樹脂皮膜６の色、即ち白色と異なる有彩色の色彩とされた色材を用いて構成されている。そして、絵付け用の上記フォイル７に印刷を行なうことで形成されているものである。フォイル７は、メラミン樹脂を材料として圧縮成形にて製造される食器などに絵付けを行なう際に用いられている公知の絵付け紙であり、メラミン樹脂が含侵されていて、フォイル７を用いて絵付け食器１を成形したときにはフォイル７の素材部分は目視できなくなって、前記装飾部４だけが盛り付け面２で見ることができる。
【００２８】
（カラーベース）
上記カラーベース５は、メラミン樹脂材料に有彩色の濃色または装飾部４の色彩と同系色の色材である着色剤を混ぜた成形材料から成形されている。そして、絵付け食器１の縦断面方向の厚さにおいて、このカラーベース５の部分の厚さが絵付け食器１での厚さの大部分を占めている。なお、図２においては、絵付け食器１の断面での構成を分かり易くするため、盛り付け面側の層を厚くして図示している。
【００２９】
（白色樹脂皮膜）
上記白色樹脂皮膜６はカラーベース５の盛り付け面２側の面をコーティング処理するためのグレーズ材（皮膜樹脂材）を用いて構成されている部分であり、金型を用いた圧縮での加圧が行なわれることで白色となる白グレーズ材を用いて形成されている。即ち、白色のグレーズコーティング処理を行なって形成された皮膜樹脂の薄膜層である。
【００３０】
白色樹脂皮膜６はカラーベース５の盛り付け面２側の片面全面に一体にして形成されており、盛り付け面２側にカラーベース５の色彩が不可視（カラーベース５の色が透けて見えない状態）の膜厚となるようにし、盛り付け面２においての白地となって装飾部４を際立たせる役割を有する部分である。
【００３１】
（透明樹脂皮膜）
透明樹脂皮膜８は上述したように装飾部４を含むフォイル７と白色樹脂皮膜６とを覆うようにしてこの白色樹脂皮膜６の上面全面をコーティング処理するためのグレーズ材を用いて構成されている部分であり、金型を用いた圧縮での加圧が行なわれることで透明となるグレーズ材を用いて形成されている。即ち、透明のグレーズコーティング処理を行なって形成された皮膜樹脂の薄膜層である。
【００３２】
透明樹脂皮膜８は透明であることから、白色樹脂皮膜６の白色及び上記装飾部４を目視することができる。また、盛り付け面２での最上層であり、白色樹脂皮膜６や装飾部４を保護する役割を有する部分である。
【００３３】
（製造方法、図３〜図６）
上記構成の絵付け食器１を製造する方法は、上型と下型とからなる一式の金型を用いて行なう一次成形工程Ａと二次成形工程Ｂと三次成形工程Ｃと四次成形工程Ｄとを備え、これらの工程を順に経るものである。
【００３４】
（一次成形工程）
一次成形工程Ａは上記カラーベース５を成形する段階であって、有彩色の濃色または装飾部の色彩と同系色の着色剤を混ぜたメラミン樹脂材料を成形材料とする。そして、図３に示すように前記成形材料を金型９に挟み込んで（金型投入）、この金型９による型締圧縮にてカラーベース５を圧縮成形する。
【００３５】
（二次成形工程）
二次成形工程Ｂは上記白色樹脂皮膜６の成形によって白色のグレーズコーティング処理を行なう段階である。一次成形工程Ａで得られたカラーベース５の盛り付け面２側に対応するようにして上記金型９に白グレーズ材を投入し、この金型９の型締、圧縮にて、この白グレーズ材を含めてカラーベース５全体を加圧し、白色のグレーズコーティング処理を行なう。この二次成形工程Ｂで成形された白色樹脂皮膜６は、上述したように盛り付け面２側にカラーベース５の色彩が不可視となる膜厚を有する。図４参照
【００３６】
（三次成形工程）
三次成形工程Ｃは、二次成形工程Ｂで得られた白色樹脂皮膜６を有するカラーベース５における前記白色樹脂皮膜６の上面にフォイル７を一体にして設ける段階である。この三次成形工程Ｃでは、白色樹脂皮膜６での上記食器外周縁３に沿わせながらこの白色樹脂皮膜６に対応するようにしてフォイル７を上記金型９に投入する。
【００３７】
そしてこの金型９の型締、圧縮にて、白色樹脂皮膜６を有するカラーベース５と白色樹脂皮膜６に重なったフォイル７とを重ね合わせた状態で全体を加圧し、装飾部４が印刷形成されているフォイル７を白色樹脂皮膜６の上面に一体にしたカラーベース５を成形する。図５参照
【００３８】
上記フォイル７が白色樹脂皮膜６に一体になることで、装飾部４は白色樹脂皮膜６の上面に配置された状態となる。盛り付け面２側では、前記装飾部４が白色樹脂皮膜６を白地として配置された状態となっているので、装飾部４の絵柄やロゴなどの装飾を構成する色彩自体が際立つようになる。また、装飾部４の周囲にカラーベース５側の色彩が透けて見える場合には、装飾部４自体が際立ち難くなるが、カラーベース５の色彩が白色樹脂皮膜６によって不可視とされているので、装飾部４全体も際立つようになる。
【００３９】
（四次成形工程）
四次成形工程Ｄは、上記透明樹脂皮膜８の成形によって透明のグレーズコーティング処理を行なう段階である。三次成形工程Ｃで得られた装飾部４を一体とした白色樹脂皮膜６の上面に対応するようにして上記金型９に透明グレーズ材を投入し、この金型９の型締、圧縮にて、装飾部４を一体化したカラーベース５と前記透明グレーズ材との全体を加圧し、透明のグレーズコーティング処理を行なうものである。
【００４０】
四次成形工程Ｄで成形された透明樹脂皮膜８は、装飾部４及びフォイル７が一体となっている白色樹脂皮膜６の上面全面を覆って保護するものである。勿論、透明樹脂皮膜８を透して装飾部４及び白色樹脂皮膜６が目視できる。図１、図６参照
【００４１】
絵付け食器１を製造するに際して用いた上記金型９は工程ごとに変更されるものではない。上述したように一次成形工程Ａから四次成形工程Ｄまでの各工程で同一の金型９が用いられるものであり、型開き、材料投入、型締めを繰り返しながら各工程が進むものである。
【００４２】
以上の工程を経ることで製造された絵付け食器１では、盛り付け面２側から見た場合に、白色樹脂皮膜６によって、カラーベース５の色彩が盛り付け面２側で確認することができず、装飾部４の色彩や装飾部４自体が際立って見えるようになる。また、食器裏面側から見た場合にも、カラーベース５によって、上記装飾部４が食器裏面側で確認することができず、食器裏面側に装飾部４が透けて見えることでの品位の低下を抑止しているものである。
【００４３】
なお、図３から図６においても、白色樹脂皮膜６、フォイル７、透明樹脂皮膜８を見易くするために厚さを誇張して表している。
【符号の説明】
【００４４】
１…絵付け食器
２…盛り付け面
３…食器外周縁
４…装飾部
５…カラーベース
６…白色樹脂皮膜
７…フォイル
８…透明樹脂皮膜
９…金型
Ａ…一次成形工程
Ｂ…二次成形工程
Ｃ…三次成形工程
Ｄ…四次成形工程
【図１】
2020028985.tif 000003
【図２】
2020028985.tif 000004
【図３】
2020028985.tif 000005
【図４】
2020028985.tif 000006
【図５】
2020028985.tif 000007
【図６】
2020028985.tif 000008